(57)【要約】【課題】利用者の購買意欲をより確実に喚起することが可能なコンテンツ試視聴用サーバを提供すること。【解決手段】記録媒体又はそのパッケージ若しくは付属物に付されたコンテンツの識別データを読取可能な端末機と通信回線を介して通信可能であり、識別データに対応付けて、該識別データのコンテンツに対応した複数種類の試視聴用コンテンツデータを記憶する記憶装置と、演算処理装置とを備え、演算処理装置は、端末機から、識別データを受信し、更に、複数種類の試視聴用コンテンツデータの何れか１つを指定する旨の指定信号を受信した場合、記憶手段に記憶された試視聴用コンテンツデータのなかから、識別データに対応し、且つ、指定信号により指定された試視聴用コンテンツデータを抽出し、該試視聴用コンテンツデータを端末機に配信する配信処理を実行するコンテンツ試視聴用サーバ。【選択図】図１
2008299514.tif 000002
【特許請求の範囲】
【請求項１】
コンテンツを再生するためのコンテンツデータが記録された記録媒体又はそのパッケージ若しくは付属物に付されたコンテンツの識別データを読取可能な端末機と通信回線を介して通信可能なコンテンツ試視聴用サーバであって、
前記識別データに対応付けて、該識別データのコンテンツに対応した複数種類の試視聴用コンテンツデータを記憶する記憶装置と、
演算処理装置と
を備え、
前記演算処理装置は、前記端末機から、前記識別データを受信し、更に、複数種類の試視聴用コンテンツデータの何れか１つを指定する旨の指定信号を受信した場合、前記記憶手段に記憶された試視聴用コンテンツデータのなかから、前記識別データに対応し、且つ、前記指定信号により指定された試視聴用コンテンツデータを抽出し、該試視聴用コンテンツデータを前記端末機に配信する配信処理を実行することを特徴とするコンテンツ試視聴用サーバ。
【請求項２】
前記記憶装置は、更に、前記コンテンツデータを記憶するものであり、
前記演算処理装置は、前記配信処理により配信された又は配信されている試視聴用コンテンツデータに対応するコンテンツを購入する旨の購入要求信号を前記端末機から受信した場合、該コンテンツに予め定められた額に応じた決済処理を行い、前記決済処理が完了したことを条件に、前記コンテンツデータを、前記端末機にダウンロードする処理を行うことを特徴とする請求項１に記載のコンテンツ試視聴用サーバ。
【請求項３】
１つの識別データに対応つけられたコンテンツは、複数の単位コンテンツからなり、
１つの識別データに対応付けられて前記記憶装置に記憶された複数種類の試視聴用コンテンツデータは、夫々、前記複数の単位コンテンツの夫々と対応するものであり、
前記記憶装置は、更に、前記単位コンテンツを再生するための単位コンテンツデータを記憶するものであり、
前記演算処理装置は、前記配信処理により配信された又は配信されている試視聴用コンテンツデータに対応する単位コンテンツを購入する旨の購入要求信号を前記端末機から受信した場合、該単位コンテンツに予め定められた額に応じた決済処理を行い、前記決済処理が完了したことを条件に、該単位コンテンツを再生するための単位コンテンツデータを、前記端末機にダウンロードする処理を行うことを特徴とする請求項１に記載のコンテンツ試視聴用サーバ。
【請求項４】
前記端末機は、携帯端末機であることを特徴とする請求項１〜３のいずれか１に記載のコンテンツ試視聴用サーバ。
【請求項５】
請求項１〜４のいずれか１に記載のコンテンツ試視聴用サーバと、
前記コンテンツ試視聴用サーバと通信回線を介して通信可能な端末機と
を備えたことを特徴とするコンテンツ試視聴システム。
【発明の詳細な説明】
【技術分野】
【０００１】
本発明は、コンテンツ試視聴用サーバ及びコンテンツ試視聴システムに関する。
【背景技術】
【０００２】
従来から、ＣＤやＤＶＤ等のメディアの販売店等においては、スピーカやヘッドホーンを備えた試視聴機が設置されている。このような試視聴機は、販売促進を目的として、即ち、試視により購買意欲を喚起し、その購買意欲を速やかに販売に繋げるために、設置されているものである。
【０００３】
従来の試視聴機としては、例えば、新たに販売された商品（メディア）や、販売促進中の商品等、予め店舗側で準備された特定の商品のなかから、利用者によってその何れか１が選択されると、その商品に対応したコンテンツが再生される試視聴機が存在する。この試視聴機は、視聴可能な商品が店舗側で定められているため、利用者の嗜好を満足することが困難であり、特定の商品の販売促進にしか繋がらないという問題があった。
【０００４】
また、従来のコンテンツ試視聴システムとしては、例えば、店舗内に設置され、商品に付されたバーコードを読取可能なバーコードリーダを備えた専用端末と、各商品に対応するコンテンツデータを記憶するサーバとを備えたシステムが存在する（例えば、特許文献１参照）。特許文献１に記載のシステムによれば、利用者は視聴を行った時点で既に商品を手にしているため、購買意欲を販売に結び付け易い利点がある。また、サーバから専用端末にコンテンツを配信する形態をとるため、サーバにコンテンツデータを一元管理及び集積することができ、店舗内の多数の商品（メディア）を対象とした試視聴を可能とすることができる。従って、多くの商品の販売促進を行い易い利点がある。
【０００５】
【特許文献１】特開２００３−１０８１５３号公報
【発明の開示】
【発明が解決しようとする課題】
【０００６】
しかしながら、このようなシステムにおいては、再生されるコンテンツが１〜２分程度であり、販売者側で定められているため、利用者の購買意欲を喚起し得ないという問題があった。すなわち、利用者は、テレビやラジオ、インターネット等を介して視聴した映画等の特定のシーンや、音楽のサビやイントロ等、コンテンツの或る部分から強い印象を受け、試視聴を行うことが一般的であるため、再生される部分が販売者側で定められていると、利用者の記憶に残っている部分と合致しない可能性があり、そのような場合には利用者の購買意欲を喚起することが困難であるという問題があった。
【０００７】
また、コンテンツのどの部分に強い印象を受けるかは、個人の嗜好によるものであるから、再生される部分が販売者側で定められていると、仮にその部分が利用者の記憶に残っている部分と合致したとしても、その部分が利用者の嗜好に沿わないものであれば、利用者の購買意欲を喚起することができない可能性があった。
【０００８】
逆に、単にコンテンツ全体の試視聴を可能としても、利用者の購買意欲が喚起される部分は、コンテンツ全体の一部であることが一般的であるため、コンテンツ全体の試視聴が必ずしも購買意欲の喚起には繋がらないし、長時間にわたって試視聴されることにより、却って販売効率の低下を招来するおそれがあった。
【０００９】
本発明は、上述した課題に鑑みてなされたものであり、その目的は、利用者の購買意欲をより確実に喚起することが可能なコンテンツ試視聴用サーバ及びコンテンツ試視聴システムを提供することにある。
【課題を解決するための手段】
【００１０】
上述した課題を解決するために、本発明は、以下のようなものを提供する。
（１）  コンテンツを再生するためのコンテンツデータが記録された記録媒体又はそのパッケージ若しくは付属物に付されたコンテンツの識別データを読取可能な端末機と通信回線を介して通信可能なコンテンツ試視聴用サーバであって、
上記識別データに対応付けて、該識別データのコンテンツに対応した複数種類の試視聴用コンテンツデータを記憶する記憶装置と、
演算処理装置と
を備え、
上記演算処理装置は、上記端末機から、上記識別データを受信し、更に、複数種類の試視聴用コンテンツデータの何れか１つを指定する旨の指定信号を受信した場合、上記記憶手段に記憶された試視聴用コンテンツデータのなかから、上記識別データに対応し、且つ、上記指定信号により指定された試視聴用コンテンツデータを抽出し、該試視聴用コンテンツデータを上記端末機に配信する配信処理を実行することを特徴とするコンテンツ試視聴用サーバ。
【００１１】
（１）の発明によれば、先ず、利用者は、端末機を利用して、識別データを読み取り、更に、複数種類の試視聴用コンテンツデータの何れか１つを指定する旨の指示を入力する。
その結果、端末機から、コンテンツ試視聴用サーバに、上記識別データが送信され、更に、試視聴用コンテンツデータを指定する旨の指定信号が送信される。
演算処理装置は、上記識別データに対応し、且つ、上記指定信号により指定された試視聴用コンテンツデータを抽出し、その試視聴用コンテンツデータを上記端末機に配信する配信処理を実行する。
【００１２】
（１）の発明によれば、記憶装置に、識別データのコンテンツに対応した複数種類の試視聴用コンテンツデータが記憶されており、利用者は、そのうちのどのデータを試視聴するかを指定することができるため、利用者の嗜好に沿った試視聴を可能とすることができる。また、コンテンツ試視聴用サーバから端末機に試視聴用コンテンツデータを配信するため、サーバによるデータの一元管理が可能になる。その結果、利用者の購買意欲をより確実に喚起することができる。
【００１３】
本発明において「コンテンツ」は、映像及び／又は音声からなり、コンテンツには、例えば、映画、アニメ、音楽、音声等が含まれる。本発明において、コンテンツは、映像及び音声からなる音声付映像が望ましい。そのような音声付映像としては、映画やアニメ等を挙げることができる。
【００１４】
本発明において「コンテンツデータ」とは、コンテンツを再生するためのデータをいう。上記コンテンツデータは、映像データ及び／又は音声データからなるものである。
コンテンツが音声付映像である場合、コンテンツデータは映像データ及び音声データからなる。音声付映像が字幕を有するものである場合、字幕データもコンテンツデータに含まれるものである。
【００１５】
本発明において「記録媒体」としては、特に限定されるものではなく、従来公知の記録媒体を挙げることができる。そのような記録媒体としては、例えばＣＤ、ＤＶＤ等を挙げることができる。また「パッケージ」は、記憶媒体を収納可能なものであれば、特に限定されるものではなく、例えば、記憶媒体の収納ケースや収納袋等を挙げることができる。更に「付属物」としては、例えば、パッケージに同封される宣伝広告用紙、パッケージの包装、記憶媒体又はそのパッケージに付される札等を挙げることができる。
【００１６】
「コンテンツの識別データ」としては、コンテンツごとに割り当てられた数字、記号、符号等の組合せであれば、特に限定されるものではなく、例えば、商品の型番、管理番号等を挙げることができる。また、本発明において「コンテンツの識別データが付される」ことには、例えば、上記識別データがエンコードされた１次元コード（バーコード）又は２次元コード（例えば、ＱＲコード（登録商標）等）等のコードが描かれること、該コードが描かれたシール等が貼着されること、上記識別データが記憶されたＩＣチップを取り付けること等が含まれる。ＩＣチップを取り付ける場合、識別データの読取方式は、接触又は非接触のいずれであってもよい。
【００１７】
さらに、本発明は、以下のようなものを提供する。
（２）  上記（１）のコンテンツ試視聴用サーバであって、
上記記憶装置は、更に、上記コンテンツデータを記憶するものであり、
上記演算処理装置は、上記配信処理により配信された又は配信されている試視聴用コンテンツデータに対応するコンテンツを購入する旨の購入要求信号を上記端末機から受信した場合、該コンテンツに予め定められた額に応じた決済処理を行い、上記決済処理が完了したことを条件に、上記コンテンツデータを、上記端末機にダウンロードする処理を行うことを特徴とする。
【００１８】
（２）の発明によれば、利用者は、試視聴を行っているとき又は行った後に端末機を操作してコンテンツの購入を行うことができるため、高められた購買意欲を速やかに販売に繋げることができる。
【００１９】
上記（２）の発明において、端末機は、利用者が所有する携帯用記憶媒体、又は、記憶媒体を備える携帯用再生装置を接続可能に構成され、上記端末機は、ダウンロードされた上記コンテンツデータを、上記携帯用記憶媒体、又は、上記携帯用再生装置が備える記憶媒体に記憶するように構成されていることが望ましい。購入手続きを簡便化することができるため、購買意欲をより円滑に販売に結び付けることができるからである。
【００２０】
さらに、本発明は、以下のようなものを提供する。
（３）  上記（１）のコンテンツ試視聴用サーバであって、
１つの識別データに対応つけられたコンテンツは、複数の単位コンテンツからなり、
１つの識別データに対応付けられて上記記憶装置に記憶された複数種類の試視聴用コンテンツデータは、夫々、上記複数の単位コンテンツの夫々と対応するものであり、
上記記憶装置は、更に、上記単位コンテンツを再生するための単位コンテンツデータを記憶するものであり、
上記演算処理装置は、上記配信処理により配信された又は配信されている試視聴用コンテンツデータに対応する単位コンテンツを購入する旨の購入要求信号を上記端末機から受信した場合、該単位コンテンツに予め定められた額に応じた決済処理を行い、上記決済処理が完了したことを条件に、該単位コンテンツを再生するための単位コンテンツデータを、上記端末機にダウンロードする処理を行うことを特徴とする。
【００２１】
（３）の発明によれば、利用者は、単位コンテンツごとの試視聴及び購入が可能になるため、購買意欲を喚起し易くなるとともに、購買意欲を販売に結び付け易くなる。
【００２２】
さらに、本発明は、以下のようなものを提供する。
（４）  上記（１）〜（３）のいずれか１のコンテンツ試視聴用サーバであって、
上記端末機は、携帯端末機であることを特徴とする。
【００２３】
店舗等に試視聴機を設置する場合、試視聴機の数に制限があるため、待ち時間が生じる可能性がある。また、設置場所が固定されているため、試視聴機のある場所まで行かなければ試視聴が行えないという問題がある。しかし、（４）の発明によれば、時間及び場所の制約を受けずに試視聴を行うことができるため、購買意欲を喚起し易くなる。
【００２４】
携帯端末機としては、例えば、携帯電話機、ＰＤＡ（パーソナル・ディジタル・アシスタンツ）等を挙げることができる。
【００２５】
また、本発明は、以下のようなものを提供する。
（５）  上記（１）〜（４）のいずれか１のコンテンツ試視聴用サーバと、
上記コンテンツ試視聴用サーバと通信回線を介して通信可能な端末機と
を備えたことを特徴とするコンテンツ試視聴システム。
【００２６】
（５）の発明によれば、利用者の嗜好に沿った試視聴を可能とすることができる。また、コンテンツ試視聴用サーバから端末機に試視聴用コンテンツデータを配信するため、サーバによるデータの一元管理が可能になる。その結果、利用者の購買意欲をより確実に喚起することが可能になる。
【発明の効果】
【００２７】
本発明によれば、利用者の購買意欲をより確実に喚起することが可能になる。
【発明を実施するための最良の形態】
【００２８】
［第１実施形態］
図１は、第１実施形態に係るコンテンツ試視聴システムを模式的に示すネットワーク構成図である。
コンテンツ試視聴システム１０は、コンテンツ試視聴用サーバ２００と、携帯電話機３００と、決済用サーバ４００とを備えている。コンテンツ試視聴用サーバ２００、携帯電話機３００及び決済用サーバ４００は、互いに通信回線（インターネット）１２０を介して通信を行うことが可能である。
【００２９】
店舗（所謂ＣＤショップ）１１０には、映像コンテンツを再生するための映像コンテンツデータが記録されたＤＶＤ（記録媒体）１００が陳列されている。ＤＶＤ１００のパッケージ１０１には、２次元コード９２が貼着されている。
２次元コード９２は、ＱＲコード（登録商標）であり、ＤＶＤ１００のコンテンツに割り当てられた識別データとしてのＵＲＬがエンコードされたものである。このＵＲＬは、インターネット上でのコンテンツ試視聴用サーバ２００の所定のアドレス（ウェブサイトに含まれるウェブページのアドレス）を示すものである。
【００３０】
利用者は、店舗１１０に陳列されているＤＶＤ１００のパッケージ１０１に付された２次元コード９２を、携帯電話機３００が備えるＣＣＤカメラ（撮像装置）３０８により撮像する。携帯電話機３００は、ＣＣＤカメラ３０８が２次元コード９２を撮像した際に得られる画像データから２次元コードを認識し、この認識した２次元コードから、識別データであるＵＲＬを得る。そして、携帯電話機３００は、このＵＲＬによりコンテンツ試視聴用サーバ２００にアクセスする（ＵＲＬをコンテンツ試視聴用サーバ２００に送信する）。
【００３１】
コンテンツ試視聴用サーバ２００が備えるハードディスクドライブ２０５（図示せず、図２参照）には、ウェブページを表示するための複数のウェブページデータが記憶されている。複数のウェブページデータは、夫々、識別データとしてのＵＲＬと対応付けられている。
【００３２】
コンテンツ試視聴用サーバ２００は、携帯電話機３００から識別データとしてのＵＲＬを受信すると、ＵＲＬに対応したウェブページデータを、ハードディスクドライブ２０５から抽出し、そのウェブページデータを携帯電話機３００に送信する。
携帯電話機３００は、サーバ２００からウェブページデータを受信すると、そのウェブページデータに基づいてウェブページを表示する。
【００３３】
このウェブページは、コンテンツに対応した複数種類の試視聴用コンテンツのサムネイルを含むものである（図９（ａ）参照）。各サムネイルは、試視聴用コンテンツを選択するための選択肢ボタンとしての機能を有するものであり、夫々に異なるＵＲＬが割り当てられている（リンクが設定されている）。
このＵＲＬは、コンテンツ試視聴用サーバ２００のハードディスクドライブ２０５に記憶された試視聴用コンテンツデータのインターネット上のアドレスを示すものであり、上述した識別データとしてのＵＲＬに、パス名及び／又はファイル名が付加されたものである。
換言すると、１つのコンテンツに対応する複数種類の試視聴用コンテンツデータは、識別データとしてのＵＲＬに対応付けられており、各試視聴用コンテンツデータは、識別データとしてのＵＲＬにパス名が付加されたＵＲＬにより指定される。
【００３４】
利用者は、携帯電話機３００を操作することにより、複数のサムネイルのなかから、１つのサムネイルを選択する。携帯電話機３００は、選択されたサムネイルに対応したＵＲＬによりコンテンツ試視聴用サーバ２００にアクセスする（指定信号をコンテンツ試視聴用サーバ２００に送信する）。
【００３５】
コンテンツ試視聴用サーバ２００が備えるハードディスクドライブ２０５（図示せず、図２参照）には、コンテンツごとに、複数種類の試視聴用コンテンツデータが記憶されている。１つのコンテンツに対応付けられた複数種類の試視聴用コンテンツデータは、識別データとしてのＵＲＬに対応付けられ、各試視聴用コンテンツデータには、そのＵＲＬにパス名が付加されたＵＲＬが割り当てられている。
【００３６】
コンテンツ試視聴用サーバ２００は、携帯電話機３００から、試視聴用コンテンツデータごとに割り当てられたＵＲＬを受信すると、そのＵＲＬに対応した試視聴用コンテンツデータを、ハードディスクドライブ２０５から抽出し、携帯電話機３００に配信する配信処理を行う。携帯電話機３００では、配信された試視聴用コンテンツデータに基づいて、試視聴用コンテンツが再生される（図９（ｂ）参照）。試視聴用コンテンツは、ストリーミングにより再生されてもよく、ダウンロードが完了した後に再生されることとしてもよい。
【００３７】
携帯電話機３００には、配信処理が行われているとき又は行われた後に、コンテンツの購入用ボタンが表示される（図９（ｂ）参照）。利用者は、携帯電話機３００を操作し、購入用ボタンを選択することができる。
購入用ボタンが選択されると、携帯電話機３００は、コンテンツデータを購入する旨の購入要求信号を、コンテンツ試視聴用サーバ２００に送信する。
コンテンツ試視聴用サーバ２００は、決済に必要な情報の入力フォームを含むウェブページを表示するためのウェブページデータを、携帯電話機３００に送信する。その結果、携帯電話機３００には、そのウェブページが表示される。
【００３８】
利用者は、携帯電話機３００を操作し、ウェブページに設けられた欄に必要な情報を入力する。携帯電話機３００は、入力された情報をコンテンツ試視聴用サーバ２００に送信する。コンテンツ試視聴用サーバ２００は、情報を決済用サーバ４００に転送し、その後、決済用サーバ４００において決済処理が行われる。決済処理が完了すると、決済用サーバ４００からコンテンツ試視聴用サーバ２００にその旨を示す通知信号が送信される。
コンテンツ試視聴用サーバ２００は、上記通知信号を受信したことを条件に、コンテンツデータを、携帯電話機３００にダウンロードする処理を行う。
【００３９】
コンテンツ試視聴システム１０においては、先ず、利用者は、携帯電話機３００を利用して、識別データとしてのＵＲＬを読み取り、コンテンツ試視聴用サーバ２００に送信する。
その後にコンテンツ試視聴用サーバ２００から送信されるウェブページデータに基づいて、携帯電話機３００にウェブページが表示された際に、携帯電話機３００を操作することにより、ウェブページに含まれるサムネイルの何れか１を選択する。その結果、携帯電話機３００から、試視聴用コンテンツデータを指定する旨の指定信号としてのＵＲＬが送信される。
【００４０】
コンテンツ試視聴用サーバ１０におけるコンテンツ試視聴用サーバ２００は、本発明のコンテンツ試視聴用サーバに相当するものである。本発明のコンテンツ試視聴用サーバは、必ずしも、１台の装置からなる必要はなく、通信可能に接続された複数台の装置によって構成されるものであってもよい。
【００４１】
本実施形態では、識別データがＱＲコードにエンコードされている場合について説明するが、本発明におけるコード情報は、ＱＲコードに限定されず、他の従来公知の２次元コードにエンコードされたものであってもよい。また、バーコードにエンコードされたものであってもよく、ＩＣチップに記憶されていてもよい。
【００４２】
携帯電話機３００は、本発明における端末機に相当するものである。なお、本発明の端末機は、識別データの読取装置を備え、且つ、コンテンツ試視聴用サーバと通信回線を介してデータの送受信を行うことが可能であれば、特に限定されるものではなく、例えば、パーソナル・ディジタル・アシスタンツ、コンテンツ試視聴システムの専用の端末機等を挙げることができる。本発明における端末機は、利用者に携帯され得る携帯端末機であってもよく、店舗に設置され得る設置型の端末機であってもよいが、携帯端末機であることが望ましい。時間及び場所の制約を受けずに試視聴を行うことが可能となるため、利用者の購買意欲を喚起し易くなるからである。また、利用者の携帯端末機を用いることにより、携帯端末機のＩＤデータ（例えば、端末製造番号、メールアドレス、電話番号等）ごとに、試視聴が行われたコンテンツの識別データを対応付けて、コンテンツ試視聴用サーバ２００のハードディスクドライブ２０５等の記憶装置に記憶することにより、利用者の嗜好を把握することが可能となる。
【００４３】
また、本実施形態においては、携帯電話機３００とコンテンツ試視聴用サーバ２００とが無線によりデータの送受信を行う場合について説明するが、本発明は、この例に限定されず、有線により送受信を行うこととしてもよい。すなわち、本発明における通信回線は、有線と、無線による伝送路とが含まれる。
【００４４】
図２は、図１に示したコンテンツ試視聴用サーバの内部構成を示すブロック図である。
コンテンツ試視聴用サーバ２００は、演算処理装置としてのＣＰＵ２０１と、ＲＯＭ２０２と、ＲＡＭ２０３と、携帯端末機３００と通信回線を介して通信するための通信用インターフェイス回路２０４と、記憶装置としてのハードディスクドライブ２０５とを備えている。
【００４５】
ハードディスクドライブ２０５には、コンテンツデータのデータベース（図３参照）と、試視聴用コンテンツデータのデータベース（図４参照）と、識別データのデータベース（図５参照）とが格納されている。また、ハードディスクドライブ２０５には、携帯端末機３００にウェブページを表示するためのウェブページデータ等のデータが記憶されている。ハードディスクドライブ２０５は、１つのハードディスクドライブから構成されている必要はなく、複数のハードディスクドライブから構成されていてもよい。
【００４６】
図３は、コンテンツデータのデータベースのデータ構成を模式的に示す概念図である。
コンテンツデータのデータベースでは、コンテンツの識別データ（パス名）に対応付けて、コンテンツデータが格納されている。コンテンツの識別データは、ＵＲＬであり、コンテンツ試視聴用サーバ２００のホスト名と、上記データベースに格納されたパス名とを含むものである。図中では、パス名のみを示している。
【００４７】
コンテンツ試視聴用サーバ２００のデータベースに格納されるコンテンツデータは、店舗１１０に陳列されたＤＶＤ１００に記録されたコンテンツデータが、携帯電話機３００での記憶及び再生が可能なサイズまで縮小されたものである。
本発明において、コンテンツ試視聴用サーバの記憶装置に記憶されるコンテンツデータは、記録媒体に記録されるコンテンツデータと同一のものであってもよく、本実施形態のように、画像処理が行われたコンテンツデータであってもよく、また予告編等を除いた本編のみのコンテンツデータであってもよい。
【００４８】
図４は、試視聴用コンテンツデータのデータベースのデータ構成を模式的に示す概念図である。
試視聴用コンテンツデータのデータベースでは、試視聴用コンテンツデータの識別データ（パス名）に対応付けて、試視聴用コンテンツデータが格納されている。試視聴用コンテンツデータの識別データは、上述した識別データとしてのＵＲＬに、パス名及び／又はファイル名が付加されたものである。試視聴用コンテンツデータとしては、例えば、映画の予告編の映像データ、映画の映画評論家推奨シーンの映像データ、映画の全編の映像データ、映画の所定シーンの映像データ等を挙げることができる。１のコンテンツデータに対して、上述した複数種類の映像データのうち、少なくとも２種類の映像データが、ハードディスクドライブ２０５（記憶装置）に記憶されていることが望ましい。コンテンツの多面的な紹介が可能となり、購買意欲を喚起し易くなるからである。
【００４９】
図５は、識別データのデータベースのデータ構造を模式的に示す概念図である。
識別データのデータベースでは、コンテンツの識別データ（パス名）に対応付けて、コンテンツデータの金額データ、アクセス履歴データ、購入履歴データが格納されている。
コンテンツの金額データは、そのコンテンツの金額を示すデータである。
アクセス履歴データは、そのコンテンツの識別データによってコンテンツ試視聴用サーバにアクセスされた回数、時刻、アクセス元の携帯電話機の端末識別情報（メールアドレス、電話番号、製造識別番号等）等を示すデータを含むものである。
購入履歴データは、そのコンテンツデータが購入された回数、時刻、購入先の携帯電話機の端末識別情報（メールアドレス、電話番号、製造識別番号等）、どの試視聴用コンテンツデータを視聴した後にコンテンツデータを購入したかを示すデータを含むものである。
【００５０】
また、コンテンツの識別データ（パス名）には、試視聴用コンテンツデータの識別データ（パス名）が対応付けられている。さらに、各試視聴用コンテンツデータの識別データ（パス名）には、試視聴用コンテンツデータの金額データ、試視聴履歴データ、購入履歴データが格納されている。
試視聴用コンテンツデータの金額データは、その試視聴用コンテンツの金額を示すデータである。
試視聴履歴データは、その試視聴用コンテンツデータを携帯電話機３０６に配信した回数、時刻、配信先の携帯電話機の端末識別情報（メールアドレス、電話番号、製造識別番号等）を示すデータを含むものである。
購入履歴データは、そのコンテンツデータが購入された回数、時刻、購入先の携帯電話機の端末識別情報（メールアドレス、電話番号、製造識別番号等）を示すデータを含むものである。
【００５１】
図６は、第１実施形態に係る携帯電話機の内部構成を示すブロック図である。
なお、携帯電話機３００は、本発明における端末機に相当する。
携帯電話機３００は、操作部３０４、液晶パネル３０６、ＣＣＤカメラ３０８、無線部３１０、音声回路３１２、スピーカ３１４、マイク３１６、送受信アンテナ３１８、不揮発性メモリ３２０、マイクロコンピュータ３２２及び二次電池３２４を備えている。
【００５２】
無線部３１０は、マイクロコンピュータ３２２により制御されて、送受信アンテナ３１８を通じて電波を媒体として基地局に対して送受信する。音声回路３１２は、無線部３１０からマイクロコンピュータ３２２を通じて出力された受信信号をスピーカ３１４に出力するとともに、マイク３１６から出力された音声信号を送信信号としてマイクロコンピュータ３２２を通じて無線部３１０に出力する。
【００５３】
スピーカ３１４は、音声回路３１２から出力された受信信号を受信音声に変換して出力し、マイク３１６は、操作者から発せられた送信音声を音声信号に変換して音声回路３１２に出力する。ＣＣＤカメラ３０８は、２次元コード９２を撮像可能であり、撮像して得られた画像データは不揮発性メモリ３２０に記憶される。本実施形態では、ＣＣＤカメラを用いる場合について説明するが、本発明において、撮像装置は、例えば、ＣＭＯＳセンサカメラ等であってもよい。
【００５４】
不揮発性メモリ３２０は、例えば、ＣＣＤカメラ３０８が２次元コード９２を撮像して得られた画像データや、配信された画像データ、ダウンロードされた画像データ等の各種データや各種プログラムを不揮発的に記憶する。二次電池３２４は、各回路に電力を供給する。マイクロコンピュータ３２２は、ＣＰＵ、ＲＯＭ及びＲＡＭから構成されたもので、例えば、電話の発着信処理、電子メールの作成送受信処理、インターネット処理等を行う。なお、電子メールの送受信及びインターネットによるデータの送受信は、マイクロコンピュータ３２２が無線部３１０及び送受信アンテナ３１８を介して行う。
【００５５】
次に、コンテンツ試視聴用サーバと、携帯電話機とにおいて行われる処理について説明する。
図７は、第１実施形態に係るコンテンツ試視聴用サーバと携帯電話機との間で行われる処理を示すフローチャートである。
図８は、第１実施形態に係る携帯電話機において実行される２次元コード認識処理のサブルーチンを示すフローチャートである。
図９（ａ）、（ｂ）は、第１実施形態に係る携帯電話機に表示される画像を示す図である。
【００５６】
まず、携帯電話機３００が備えるマイクロコンピュータ３２２は、操作部３０４を介して入力された指示に基づいて、ＣＣＤカメラ３０８を駆動させ、ＣＣＤカメラ３０８は、２次元コード９２を撮像する（ステップＳ１００）。その後、マイクロコンピュータ３２２は、ステップＳ１００において得られた画像データを不揮発性メモリ３２０に記憶させる（ステップＳ１０１）。次に、マイクロコンピュータ３２２は、２次元コード認識処理を行い、この認識した２次元コードから識別データとしてのＵＲＬを取得する（ステップＳ１０２）。
【００５７】
ここで、２次元コード認識処理について説明する。
まず、マイクロコンピュータ３２２は、不揮発性メモリ３２０に記憶された画像データに対して画像変換処理を行う（ステップＳ７００）。画像変換処理は、撮像されて得られた画像データから、２次元コードが表示されている領域の画像データを抜き出し、傾きや歪みを補正し、所定の閾値によりモノクロ画像に変換し、正面視した２次元コードを含む画像データを得る処理である。
【００５８】
次に、マイクロコンピュータ３２２は、ステップＳ７００において得られた画像データから２次元コードを抽出し、ノイズ除去等の補正を行う（ステップＳ７０１）。
次に、マイクロコンピュータ３２２は、ステップＳ７０１において得られた２次元コードの２値化処理を行い、２次元コードを構成する各ドットを“０”又は“１”に置き換え（ステップＳ７０２）、２値化マトリックスデータを生成する（ステップＳ７０３）。
次に、マイクロコンピュータ３２２は、２値化マトリックスデータをデコードし（ステップＳ７０４）、識別データを生成する（ステップＳ７０５）。その後、本サブルーチンを終了し、図７に示したフローチャートのステップＳ１０３に処理を移すのである。
【００５９】
次に、マイクロコンピュータ３２２は、ステップＳ１０２における２次元コード認識処理により得られた識別データを、携帯電話機３００の端末識別情報とともに、無線部３１０及び送受信アンテナ３１８により、インターネットを介してサーバ２００に送信する（ステップＳ１０３）。
【００６０】
サーバ２００が備えるＣＰＵ２０１は、携帯電話機３００からインターネットを介して、識別データと携帯電話機３００の端末識別情報とを受信すると、識別データのデータベース（図５参照）のアクセス履歴データを更新し、その識別データに対応したウェブページデータを携帯電話機３００に送信する（ステップＳ２００）。
携帯電話機３００は、ウェブページデータを受信すると、液晶パネル３０６に、ウェブページを表示する。ウェブページは、図９（ａ）に示すように、複数のサムネイル３０６ａを含むものである。図中、液晶パネル３０６上に示した下線付の符号は、試視聴用コンテンツデータの識別データ（図４参照）に対応しており、液晶パネル３０６の当該箇所には、その識別データに対応した試視聴用コンテンツの画像が配置される。
【００６１】
各サムネイル３０６ａは、試視聴用コンテンツを選択するための選択肢ボタンとしての機能を有するものであり、夫々に異なるＵＲＬが割り当てられている（リンクが設定されている）。このＵＲＬは、コンテンツ試視聴用サーバ２００のハードディスクドライブ２０５に記憶された試視聴用コンテンツデータのインターネット上のアドレスを示すものであり、上述した識別データとしてのＵＲＬに、各試視聴用コンテンツデータに割り当てられたパス名が付加されたものである。
【００６２】
利用者は、操作部３０４を操作し、所望のサムネイル３０６ａを選択することができる。サムネイル３０６ａが操作されると、マイクロコンピュータ３２２は、選択されたサムネイル３０６ａを指定する指定信号（試視聴用コンテンツデータのＵＲＬを示す信号）を、コンテンツ試視聴用サーバ２００に送信する。
【００６３】
サーバ２００が備えるＣＰＵ２０１は、携帯電話機３００からインターネットを介して指定信号（ＵＲＬを示す信号）を受信すると、識別データに対応し、且つ、指定信号により指定された試視聴用コンテンツデータを、ハードディスクドライブ２０５から抽出する（ステップＳ２０１）。次に、サーバ２００が備えるＣＰＵ２０１は、抽出された試視聴用コンテンツデータを、携帯電話機３００に配信する（ステップＳ２０２）。
【００６４】
マイクロコンピュータ３２２は、コンテンツ試視聴用サーバ２００から試視聴用コンテンツデータを受信すると、ストリーミングにより試視聴用コンテンツを再生する（ステップＳ１０６）。例えば、ステップＳ１０５において、映画Ａの予告編の映像データ（パス名：ａ０１）が選択された場合、ステップＳ１０６において、液晶パネル３０６には、図９（ｂ）に示すように、映画Ａの予告編の映像が表示される。また、液晶パネル３０６の右下には「購入」ボタン３０６ｃが表示されている。
【００６５】
利用者は、携帯電話機３００を操作することにより、「購入」ボタン３０６ｃを選択することができる。携帯電話機３００は、「購入」ボタンに対応したＵＲＬによりコンテンツ試視聴用サーバ２００にアクセスする（購入要求信号をコンテンツ試視聴用サーバ２００に送信する）（ステップＳ１０７）。
【００６６】
サーバ２００が備えるＣＰＵ２０１は、携帯電話機３００からインターネットを介して購入要求信号（ＵＲＬを示す信号）を受信すると、入力フォームを含むウェブページを表示するためのウェブページデータを、ハードディスクドライブ２０５から抽出し、携帯電話機３００に送信する（ステップＳ２０３）。
【００６７】
マイクロコンピュータ３２２は、コンテンツ試視聴用サーバ２００から上記ウェブページデータを受信すると、そのデータに基づいて、液晶パネル３０６に、入力フォームを表示する（ステップＳ１０８）。利用者は、操作部３０４を操作し、入力フォームに必要な情報を入力することができる。情報の入力が完了すると、マイクロコンピュータ３２２は、コンテンツ試視聴用サーバ２００に、その情報を送信する。
その後、携帯電話機３００、コンテンツ試視聴用サーバ２００及び決済用サーバ４００によって決済処理が行われる（ステップＳ１１０）。この処理は、従来公知の処理であるから、説明は省略する。
【００６８】
コンテンツ試視聴用サーバ２００は、決済処理が完了すると、試視聴された試視聴用コンテンツに対応するコンテンツデータを、ハードディスクドライブ２０５から抽出し、携帯電話機３００にダウンロードする（ステップＳ２０４）。
マイクロコンピュータ３２２は、コンテンツ試視聴用サーバ２００からコンテンツデータを受信すると、不揮発性メモリ３２０に記憶させる（ステップＳ１１１）。
【００６９】
第１実施形態に係るコンテンツ試視聴用サーバ２００によれば、ハードディスクドライブ２０５に、識別データのコンテンツに対応した複数種類の試視聴用コンテンツデータが記憶されており（図３〜図５参照）、利用者は、そのうちのどのデータを試視聴するかを指定することができるため、利用者の嗜好に沿った試視聴を可能とすることができる。
また、コンテンツ試視聴用サーバ２００から携帯電話機３００に試視聴用コンテンツデータを配信するため、データの一元管理が可能になる。その結果、利用者の購買意欲をより確実に喚起することができる。
【００７０】
［第２実施形態］
第２実施形態に係るコンテンツ試視聴システムは、第１実施形態と、ＤＶＤ１００がＣＤであることを除いて、ネットワーク構成（図１参照）、並びに、コンテンツ試視聴用サーバ及び携帯電話機のハード構成（図２、図６参照）が同様である。そこで、第２実施形態では、第１実施形態における構成要素と対応する構成要素には同一の符号を付して説明することとする。
【００７１】
図１０は、第２実施形態に係るコンテンツデータのデータベースのデータ構成を模式的に示す概念図である。
コンテンツデータのデータベースでは、コンテンツの識別データ（パス名）に対応付けて、コンテンツを構成する単位コンテンツデータが格納されている。各単位コンテンツデータには、単位コンテンツの識別データ（パス名）が対応付けられている。
コンテンツは、楽曲ＣＤにおける所謂アルバムであり、複数の楽曲からなる。各楽曲が単位コンテンツに相当する。コンテンツの識別データは、ＵＲＬであり、コンテンツ試視聴用サーバ２００のホスト名と、上記データベースに格納されたパス名とを含むものである。図中では、パス名のみを示している。
【００７２】
図１１は、第２実施形態に係る試視聴用コンテンツデータのデータベースのデータ構成を模式的に示す概念図である。
試視聴用コンテンツデータのデータベースでは、試視聴用コンテンツデータの識別データ（パス名）に対応付けて、試視聴用コンテンツデータが格納されている。試視聴用コンテンツデータの識別データは、単位コンテンツデータの識別データに、パス名が付加されたものである。試視聴用コンテンツデータのデータベースでは、１つの単位コンテンツに対して、複数の試視聴用コンテンツデータが格納されている。試視聴用コンテンツデータとしては、例えば、当該楽曲のイントロ部分のデータ、サビ部分のデータ、全体のデータ等を挙げることができる。
【００７３】
図１２は、第２実施形態に係る識別データのデータベースのデータ構成を模式的に示す概念図である。
識別データのデータベースでは、コンテンツの識別データ（パス名）に対応付けて、単位コンテンツの識別データ、単位コンテンツデータの金額データ、アクセス履歴データ、購入履歴データが格納されている。
単位コンテンツの金額データは、単位コンテンツの金額を示すデータである。
アクセス履歴データは、その単位コンテンツに対してアクセスされた回数、時刻、アクセス元の携帯電話機の端末識別情報等を示すデータを含むものである。
購入履歴データは、その単位コンテンツデータが購入された回数、時刻、購入先の携帯電話機の端末識別情報、単位コンテンツに対応付けられた複数種類の試視聴用コンテンツのうち、どの試視聴用コンテンツを視聴した後に、その単位コンテンツを購入したかを示すデータを含むものである。
【００７４】
また、単位コンテンツの識別データ（パス名）には、試視聴用コンテンツデータの識別データ（パス名）が対応付けられている。さらに、試視聴用コンテンツデータの識別データ（パス名）には、試視聴履歴データ、購入履歴データが格納されている。
試視聴履歴データは、その試視聴用コンテンツデータを携帯電話機３００に配信した回数、時刻、配信先の携帯電話機の端末識別情報を示すデータを含むものである。
購入履歴データは、そのコンテンツデータが購入された回数、時刻、購入先の携帯電話機の端末識別情報を示すデータを含むものである。
【００７５】
図１３は、第２実施形態に係るコンテンツ試視聴用サーバと携帯電話機との間で行われる処理を示すフローチャートである。
まず、携帯電話機３００が備えるマイクロコンピュータ３２２は、操作部を介して入力された指示に基づいて、ＣＣＤカメラ３０８を駆動させ、ＣＣＤカメラ３０８は、２次元コード９２を撮像する（ステップＳ１２０）。その後、マイクロコンピュータ３２２は、ステップＳ１２０において得られた画像データを不揮発性メモリ３２０に記憶させる（ステップＳ１２１）。次に、マイクロコンピュータ３２２は、２次元コード認識処理（図８参照）を行い、この認識した２次元コードから識別データとしてのＵＲＬを取得する（ステップＳ１２２）。
【００７６】
次に、マイクロコンピュータ３２２は、ステップＳ１２２における２次元コード認識処理により得られた識別データを、携帯電話機け３００の端末識別情報とともに、無線部３１０及び送受信アンテナ３１８により、インターネットを介してサーバ２００に送信する（ステップＳ１２３）。
【００７７】
コンテンツ試視聴用サーバ２００が備えるＣＰＵ２０１は、携帯電話機３００からインターネットを介して、識別データと携帯電話機３００の端末識別情報とを受信すると、その識別データに対応したウェブページデータを携帯電話機３００に送信する（ステップＳ１２４）。
携帯電話機３００は、ウェブページデータを受信すると、液晶パネル３０６に、ウェブページを表示する。ウェブページは、単位コンテンツである楽曲名を示す文字情報を含むものである。各楽曲名の文字情報は、単位コンテンツを選択するための選択肢ボタンとしての機能を有するものであり、夫々に異なるＵＲＬが割り当てられている（リンクが設定されている）。
【００７８】
利用者は、操作部３０４を操作し、所望の単位コンテンツを選択することができる。単位コンテンツが選択されると、液晶パネル３０６には、その単位コンテンツに対応付けられた試視聴用コンテンツデータの名称を示す文字情報（「イントロ」、「サビ」、「全曲」）が表示される。各文字情報は、試視聴用コンテンツを選択するための選択肢ボタンとしての機能を有するものであり、夫々に異なるＵＲＬが割り当てられている（リンクが設定されている）。このＵＲＬは、コンテンツ試視聴用サーバ２００のハードディスクドライブ２０５に記憶された試視聴用コンテンツデータのインターネット上のアドレスを示すものであり、単位コンテンツの識別データとしてのＵＲＬに、各試視聴用コンテンツデータに割り当てられたパス名が付加されたものである。
【００７９】
利用者は、操作部３０４を操作し、所望の文字情報を選択することができる。文字情報が選択されると、マイクロコンピュータ３２２は、選択された文字情報に対応した試視聴用コンテンツデータを指定する指定信号（試視聴用コンテンツデータのＵＲＬを示す信号）を、コンテンツ試視聴用サーバ２００に送信する。
【００８０】
サーバ２００が備えるＣＰＵ２０１は、携帯電話機３００からインターネットを介して師弟信号（ＵＲＬを示す信号）を受信すると、識別データに対応し、且つ、指定信号により指定された試視聴用コンテンツデータを、ハードディスクドライブ２０５から抽出する（ステップＳ２２１）。次に、サーバ２００が備えるＣＰＵ２０１は、抽出された試視聴用コンテンツデータを、携帯電話機３００に配信する（ステップＳ２２２）。
【００８１】
マイクロコンピュータ３２２は、コンテンツ試視聴用サーバ２００から試視聴用コンテンツデータを受信すると、ストリーミングにより試視聴用コンテンツを再生する（ステップＳ１２７）。このとき、液晶パネル３０６の所定箇所には、「購入ボタン」（図示せず）が表示される。
【００８２】
利用者は、携帯電話機３００を操作することにより、「購入」ボタンを選択することができる。携帯電話機３００は、「購入」ボタンに対応したＵＲＬによりコンテンツ試視聴用サーバ２００にアクセスする（購入要求信号をコンテンツ試視聴用サーバ２００に送信する）（ステップＳ１２８）。
【００８３】
サーバ２００が備えるＣＰＵ２０１は、携帯電話機３００からインターネットを介して購入要求信号（ＵＲＬを示す信号）を受信すると、入力フォームを含むウェブページを表示するためのウェブページデータを、ハードディスクドライブ２０５から抽出し、携帯電話機３００に送信する（ステップＳ２２３）。
【００８４】
マイクロコンピュータ３２２は、コンテンツ試視聴用サーバ２００から上記ウェブページデータを受信すると、そのデータに基づいて、液晶パネル３０６に、入力フォームを表示する（ステップＳ１０８）。利用者は、操作部３０４を操作し、入力フォームに必要な情報を入力することができる。情報の入力が完了すると、マイクロコンピュータ３２２は、コンテンツ試視聴用サーバ２００に、その情報を送信する。
その後、携帯電話機３００、コンテンツ試視聴用サーバ２００及び決済用サーバ４００によって決済処理が行われる（ステップＳ１３１）。この処理は、従来公知の処理であるから、説明は省略する。
【００８５】
コンテンツ試視聴用サーバ２００は、決済処理が完了すると、試視聴された試視聴用コンテンツに対応する単位コンテンツデータを、ハードディスクドライブ２０５から抽出し、携帯電話機３００にダウンロードする（ステップＳ２０４）。
マイクロコンピュータ３２２は、コンテンツ試視聴用サーバ２００からコンテンツデータを受信すると、不揮発性メモリ３２０に記憶させる（ステップＳ１３２）。
【００８６】
第２実施形態に係るコンテンツ試視聴用サーバ２００によれば、利用者は、単位コンテンツごとに試視聴及び購入が可能になるため、購買意欲を喚起し易くなるとともに、購買意欲を販売に結び付け易くなる。
【００８７】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８８】
【図１】第１実施形態に係るコンテンツ試視聴システムを模式的に示すネットワーク構成図である。
【図２】第１実施形態に係るコンテンツ試視聴用サーバの内部構成を示すブロック図である。
【図３】第１実施形態に係るコンテンツデータのデータベースのデータ構成を模式的に示す概念図である。
【図４】第１実施形態に係る試視聴用コンテンツデータのデータベースのデータ構成を模式的に示す概念図である。
【図５】第１実施形態に係る識別データのデータベースのデータ構成を模式的に示す概念図である。
【図６】第１実施形態に係る携帯電話機（端末機）の内部構成を示すブロック図である。
【図７】第１実施形態に係るコンテンツ試視聴用サーバと携帯電話機との間で行われる処理を示すフローチャートである。
【図８】第１実施形態に係る携帯電話機において実行される２次元コード認識処理のサブルーチンを示すフローチャートである。
【図９】（ａ）、（ｂ）は、第１実施形態に係る携帯電話機に表示される画像を示す図である。
【図１０】第２実施形態に係るコンテンツデータのデータベースのデータ構成を模式的に示す概念図である。
【図１１】第２実施形態に係る試視聴用コンテンツデータのデータベースのデータ構成を模式的に示す概念図である。
【図１２】第２実施形態に係る識別データのデータベースのデータ構成を模式的に示す概念図である。
【図１３】第２実施形態に係るコンテンツ試視聴用サーバと携帯電話機との間で行われる処理を示すフローチャートである。
【符号の説明】
【００８９】
１０  コンテンツ試視聴システム
９２  ２次元コード（識別データ）
１００  ＤＶＤ
１０１  パッケージ
１１０  店舗
２００  コンテンツ試視聴用サーバ
３００  携帯電話機
４００  決済用サーバ
【図１】
2008299514.tif 000003
【図２】
2008299514.tif 000004
【図３】
2008299514.tif 000005
【図４】
2008299514.tif 000006
【図５】
2008299514.tif 000007
【図６】
2008299514.tif 000008
【図７】
2008299514.tif 000009
【図８】
2008299514.tif 000010
【図９】
2008299514.tif 000011
【図１０】
2008299514.tif 000012
【図１１】
2008299514.tif 000013
【図１２】
2008299514.tif 000014
【図１３】
2008299514.tif 000015